【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
真空管と、
前記真空管内に載置されたミニチャネル管であって、前記ミニチャネル管は、熱伝達流体の流入のための第１の複数のポートと、熱交換システムへの前記熱伝達流体の流出のための第２の複数のポートとを備える、ミニチャネル管と
を備え、前記ミニチャネル管が複数のミニチャネルを備え、前記複数のミニチャネルは、それぞれ、熱伝達流体の流入のための前記第１の複数のポートのうちのそれぞれ１つから、前記熱伝達流体の流出のための前記第２の複数のポートのうちのそれぞれ１つまで延在する、太陽熱収集器デバイス。
【請求項２】
前記真空管内に載置され、かつ前記ミニチャネル管に載置される吸収フィンをさらに備える、請求項１に記載の太陽熱収集器デバイス。
【請求項３】
前記ミニチャネル管は、前記真空管内でＵ字形であり、前記ミニチャネル管は、オプションで、湾曲した大きい方の寸法を有する、請求項１に記載の太陽熱収集器デバイス。
【請求項４】
各ミニチャネルは、約１０ミリメートルから約２００マイクロメートルの範囲の水力直径を有する、請求項１〜３のいずれかに記載の太陽熱収集器デバイス。
【請求項５】
請求項１〜４のいずれかに記載の太陽熱収集器デバイスと、
太陽エネルギーを太陽熱収集器上に方向付けるように構成された太陽エネルギー集光器と、
前記太陽熱収集器を前記太陽エネルギー集光器に載置するように構成されたコネクタと
を備える、太陽熱収集システム。
【請求項６】
熱交換システムと、
請求項１〜４のいずれかに記載の太陽熱収集器デバイス、または、請求項５に記載の太陽熱収集システムと
を備える、太陽エネルギーシステム。
【請求項７】
太陽エネルギーを前記太陽熱収集器上に方向付けるように構成された太陽エネルギー集光器をさらに備える、請求項６に記載の太陽エネルギーシステム。
【請求項８】
太陽放射に対して少なくとも部分的に透過性である真空エンクロージャと、
熱伝達流体の流入のための入力ポートと、
前記熱伝達流体の流出のための出力ポートと、
混合チャンバと、
前記エンクロージャ内の吸収体と
を備える太陽熱収集器であって、
前記吸収体は、
複数の流入ミニチャネルであって、前記複数の流入ミニチャネルは、それぞれ、前記入力ポートと流体連通しているそれぞれの流入端と、前記混合チャンバと流体連通しているそれぞれの流出端との間に延在する、複数の流入ミニチャネルと、
複数の流出ミニチャネルであって、前記複数の流出ミニチャネルは、それぞれ、前記混合チャンバと流体連通しているそれぞれの流入端と、前記出力ポートと流体連通しているそれぞれの流出端との間に延在する、複数の流出ミニチャネルと
を備える、太陽熱収集器。
【請求項９】
前記吸収体は、遠位端と近位端との間に延在し、
前記複数の流入ミニチャネルの前記それぞれの流入端と、前記複数の流出ミニチャネルの前記それぞれの流出端とは、前記管の近位端に位置し、
前記複数の流入ミニチャネルの前記それぞれの流出端と、前記複数の流出ミニチャネルの前記それぞれの流入端とは、前記管の前記近位端に位置し、
前記太陽熱収集器は、オプションで、端部キャップをさらに備え、前記端部キャップは、前記吸収体の前記遠位端を受容し、前記混合チャンバを含む、請求項８に記載の太陽熱収集器。
【請求項１０】
前記吸収体は、
前記複数の流入ミニチャネルを備える第１の区分と、
前記複数の流出ミニチャネルを備える第２の区分と
を備え、
前記第１の区分および前記第２の区分は、相互に接触せず、
前記端部キャップは、前記第１の区分の遠位端を流体密封接続で受容するための第１の開口部と、前記第２の区分の遠位端を流体密封接続で受容するための第２の開口部とを備え、
前記太陽熱収集器は、オプションで、
流体入力接続および／または流体出力接続をさらに備え、
前記流体入力接続は、
流体密封接続で前記第１の区分の前記近位端を受容する開口部と、
通路であって、前記通路は、前記入力ポートと、前記複数の流入ミニチャネルの前記それぞれの流入端と流体連通し、その結果、前記入力ポート内へと入力される流体が、前記通路を通って前記複数の流入ミニチャネルの前記流入端内に流入する、通路と
を備え、
前記流体出力接続は、
流体密封接続で前記第２の区分の前記近位端を受容する開口部と、
通路であって、前記通路は、前記出力ポートと、前記複数の流出ミニチャネルの前記それぞれの流出端と流体連通し、その結果、前記それぞれの流出端からの流体が、前記通路を通って前記出力ポート内に流入する、通路と
を備える、請求項９に記載の太陽熱収集器。
【請求項１１】
前記流体入力接続および前記流体出力接続は、相互から熱的に隔離される、請求項１０に記載の太陽熱収集器。
【請求項１２】
前記吸収体は、前記遠位端から前記近位端までの間に延在する縦軸の周囲に配置された中空管を備え、前記中空管は、オプションで、外側表面と内側表面とを備え、
前記端部キャップは、
前記管の外面と流体密封接続している外側キャップと、
前記管の内面と流体密封接続している内側プラグと
を備え、前記混合チャンバは、前記キャップと前記プラグとの間で画定される容積を含み、
前記管は、前記近位端から前記遠位端の近位にある点まで延在して前記管の第１の突起および第２の突起を画定する１対の縦スリットを備え、
前記複数の流入ミニチャネルは、前記第１の突起に沿って、前記第１の突起の近位端に位置する前記複数の流入ミニチャネルの前記それぞれの流入端まで延在し、
前記複数の流出ミニチャネルは、前記第２の突起に沿って、前記第２の突起の近位端にある前記複数の流出ミニチャネルの前記それぞれの流出端まで延在する、請求項１０に記載の太陽熱収集器。
【請求項１３】
前記管が実質的に円筒形であり、前記外側キャップおよび内側プラグが入れ子式形半球を含むか、または、
前記管が実質的に円筒形であり、前記外側キャップおよび内側プラグがそれぞれ入れ子式円筒を含むのうちの１つ以上である、請求項１２に記載の太陽熱収集器。
【請求項１４】
流体入力接続および／または流体出力接続を備え、
前記流体入力接続は、
前記第１の突起の前記近位端を流体密封接続で受容するための開口部であって、前記端は、前記複数の流入ミニチャネルの前記それぞれの流入端を備える、開口部と、
通路であって、前記通路は、前記入力ポートと、前記複数の流入ミニチャネルのそれぞれの流入端と流体連通し、その結果、前記入力ポート内へと入力される流体が、前記通路を通って前記複数の流入ミニチャネルの前記それぞれの流入端に流入する、通路と
を備え、
前記流体出力接続は、
前記第２の突起の前記近位端を流体密封接続で受容するための開口部であって、前記端は、前記複数の流出ミニチャネルの前記それぞれの流出端を備える、開口部と、
通路であって、前記通路は、前記出力ポートと、前記複数の流出ミニチャネルの前記それぞれの流出端と流体連通し、その結果、前記それぞれの流出端からの流体が、前記通路を通って前記出力ポートに流入する、通路と
を備える、請求項１２に記載の太陽熱収集器。
【請求項１５】
前記流体入力接続は、実質的に半円筒形のドラムを含み、前記半円筒形のドラムは、基部表面と湾曲半径表面とを含み、各表面は前端面と後端面との間に延在し、前記入力ポートが前記前端面に載置され、前記第１の突起の前記近位端を受容するための前記開口部が前記後端面上に位置し、前記入力ポートと、前記複数の流入ミニチャネルの前記それぞれの流入端と流体連通している前記通路は、前記ドラム内に位置する、請求項１４に記載の太陽熱収集器。
【請求項１６】
前記流体出力接続は、実質的に半円筒形のドラムを含み、前記半円筒形のドラムは、基部表面と湾曲半径表面とを含み、基部表面と湾曲半径表面とは、それぞれ、前端面と後端面との間に延在し、前記入力ポートが前記前端面に載置され、前記第１の突起の前記近位端を受容するための前記開口部が前記後端面上に位置し、前記出力ポートと、前記複数の流入ミニチャネルの前記それぞれの流出端と流体連通している前記通路は、前記ドラム内に位置する、請求項１４に記載の太陽熱収集器。
【請求項１７】
前記流体出力接続の前記基部表面は、前記流体入力接続の前記基部表面の近位に、かつ前記基部表面に面して位置し、オプションで、前記エンクロージャは、湾曲内側表面を有する中空管を含み、前記流体入力接続および前記流体出力接続の前記湾曲半径表面は、前記エンクロージャの前記内側表面の近位にあり、かつ前記内側表面に面する、請求項１６に記載の太陽熱収集器。
【請求項１８】
１つ以上の支持材をさらに備え、前記１つ以上の支持材は、前記第１の突起と前記第２の突起との間に延在し、前記吸収体の前記近位端の遠位にある前記縦スリットのうちの１つのスリット内に位置する、請求項１２に記載の太陽熱収集器。
【請求項１９】
前記管の前記遠位端から延在する１つ以上の縦スリットをさらに備え、
前記管は、前記遠位端から前記近位端の遠位にある点まで延在して前記管の第３の突起および第４の突起を画定する別の１対の縦スリットを備え、
前記複数の流入ミニチャネルは、前記第３の突起に沿って、前記第３の突起の遠位端にある前記複数の流入ミニチャネルの前記それぞれの流出端まで延在し、
前記複数の流出ミニチャネルは、前記第４の突起に沿って、前記第４の突起の遠位端に位置する前記複数の流出ミニチャネルの前記それぞれの流入端まで延在する、請求項１２に記載の太陽熱収集器。
【請求項２０】
前記端部キャップは、
前記第３の突起の前記近位端を受容して、前記混合チャンバとの流体密封接続を形成する第１の開口部と、
前記第４の突起の前記近位端を受容して、前記混合チャンバとの流体密封接続を形成する第２の開口部と
を備える、請求項１９に記載の太陽熱収集器。
【請求項２１】
前記吸収体は、約０．９よりも大きい太陽放射の高吸収率と、可視から赤外領域内の約０．１未満の低放射率とを有する表面を備えるか、または、オプションで、前記ミニチャネルのそれぞれは、約１０ミリメートルから約２００マイクロメートルの範囲の水力直径を有し、
前記太陽熱収集器は、オプションで、前記吸収体上に太陽放射を集中させるように構成される１つ以上の集光器、および／または、前記出力ポートと流体連通し、前記熱伝達流体からエネルギーを抽出するように構成される熱交換器をさらに備え、
動作中に、太陽エネルギーを受容する前記吸収体の面積の比から前記熱伝達流体と接触している前記吸収体の面積の比は、約１／ｐｉから約１／（２＊ｐｉ）の範囲内である、請求項８に記載の太陽熱収集器。
【請求項２２】
太陽放射に対して少なくとも部分的に透過性である真空エンクロージャと、
熱伝達流体の流入のための入力ポートと、
前記熱伝達流体の流出のための出力ポートと、
前記エンクロージャ内のＵ字形吸収体であって、前記吸収体は、第１の細長い部分および第２の細長い部分を有し、前記第１の細長い部分および前記第２の細長い部分は、それぞれ近位端を有し、前記細長い部分は、湾曲部分によって遠位端において接続される、Ｕ字形吸収体と、
前記Ｕ字形吸収体の中の複数のミニチャネルであって、前記複数のミニチャネルは、それぞれ、第１の細長い部材の近位端に位置する流入端と、第２の細長い部材の近位端に位置する流出端との間に延在する、複数のミニチャネルと
を備え、各ミニチャネルの前記流入端が前記入力ポートと流体連通し、各ミニチャネルの前記流出端が前記出力ポートと流体連通している、太陽熱収集器。
【請求項２３】
太陽光に対して少なくとも部分的に透過性である真空エンクロージャと、
熱伝達流体の流入のための入力ポートと、
前記熱伝達流体の流出のための出力ポートと、
前記エンクロージャ内の吸収体と
を備える太陽熱収集器であって、
前記吸収体は、
第１の細長い表面および第２の細長い表面であって、前記第１の細長い表面および第２の細長い表面は、相互に面しており、近位端から遠位端まで延在する、第１の細長い表面および第２の細長い表面と、
前記第１の表面と前記第２の表面との間に延在する複数のフィンであって、前記フィンは、複数のミニチャネルを画定し、前記複数のミニチャネルは、それぞれ、前記表面の前記近位端に位置する流入端と前記表面の前記遠位端に位置する流出端との間に延在する、複数のフィンと
を備え、各ミニチャネルの前記流入端は、前記入力ポートと流体連通し、各ミニチャネルの前記流出端は、前記出力ポートと流体連通している、太陽熱収集器。
【請求項２４】
請求項１〜７のいずれかに記載の太陽熱収集器デバイスまたは請求項５に記載の太陽熱収集システムまたは請求項６〜７のいずれかに記載の太陽エネルギーシステムまたは請求項８〜２３のいずれかに記載の太陽熱収集器を提供することと、
熱伝達流体を前記入力ポートから流すことと
を含む、方法。
【請求項２５】
第１の細長い表面および第２の細長い表面を提供することであって、前記第１の細長い表面および前記第２の細長い表面は、相互に面しており、近位端から遠位端まで延在する、ことと、
前記第１の表面と前記第２の表面との間に延在する複数のフィンを位置付けることと、
複数のミニチャネルを形成するように、前記フィンを前記第１の細長い表面および前記第２の細長い表面に接合することであって、前記複数のミニチャネルは、それぞれ、前記表面の前記近位端に位置する流入端と、前記表面の前記遠位端に位置する流出端との間に延在する、ことと
を含む、太陽熱収集器を作製する方法。
【手続補正２】
【補正対象書類名】明細書
【補正対象項目名】００８１
【補正方法】変更
【補正の内容】
【００８１】
以下の図面、発明を実施するための形態、および添付の請求項を再検討すると、本発明の他の主要な特徴および利点が、当業者にとって明白となるであろう。
例えば、本発明は以下の項目も提供する。
（項目１）
真空管と、
上記真空管内に載置されるミニチャネル管であって、熱伝達流体の流入のための第１の複数のポートと、熱交換システムへの上記熱伝達流体の流出のための第２の複数のポートとを備える、ミニチャネル管と
を備え、上記ミニチャネル管は、それぞれ、熱伝達流体の流入のための上記第１の複数のポートのうちのそれぞれ１つから、上記熱伝達流体の流出のための上記第２の複数のポートのうちのそれぞれ１つまで延在する、複数のミニチャネルを備える、太陽熱収集器デバイス。
（項目２）
上記真空管内に載置され、かつ上記ミニチャネル管に載置される吸収フィンをさらに備える、項目１に記載の太陽熱収集器デバイス。
（項目３）
上記第１の複数のポートは、上記第２の複数のポート内に載置される、項目２に記載の太陽熱収集器デバイス。
（項目４）
上記第２の複数のポートは、上記吸収フィンに載置される、項目３に記載の太陽熱収集器デバイス。
（項目５）
上記第１の複数のポートのうちの少なくとも１つは、上記第２の複数のポートのうちのそれぞれ１つの内側に載置される、項目１に記載の太陽熱収集器デバイス。
（項目６）
上記第２の複数のポートは、上記真空管に載置される、項目５に記載の太陽熱収集器デバイス。
（項目７）
上記ミニチャネル管は、上記真空管内でＵ字形である、項目１に記載の太陽熱収集器デバイス。
（項目８）
上記Ｕ字形ミニチャネル管は、湾曲した大きい方の寸法を有する、項目７に記載の太陽熱収集器デバイス。
（項目９）
上記第１の複数のポートは、形状が長方形である、項目１に記載の太陽熱収集器デバイス。
（項目１０）
上記第１の複数のポートは、形状が円形である、項目１に記載の太陽熱収集器デバイス。
（項目１１）
上記ミニチャネル管内に封入される熱伝達流体をさらに備える、項目１に記載の太陽熱収集器デバイス。
（項目１２）
各ミニチャネルは、約１０ミリメートルから約２００マイクロメートルの範囲の水力直径を有する、項目１に記載の太陽熱収集器デバイス。
（項目１３）
各ミニチャネルは、約２００マイクロメートルから約１０ミリメートルの範囲の水力直径を有する、項目１に記載の太陽熱収集器デバイス。
（項目１４）
太陽熱収集器であって、
真空管と、
上記真空管内に載置されるミニチャネル管であって、
熱伝達流体の流入のための第１の複数のポートと、
熱交換システムへの上記熱伝達流体の流出のための第２の複数のポートと
を備える、ミニチャネル管と
を備える、太陽熱収集器と、
上記太陽熱収集器上に太陽エネルギーを方向付けるように構成される太陽エネルギー集光器と、
上記太陽熱収集器を上記太陽エネルギー集光器に載置するために構成されるコネクタと
を備え、上記ミニチャネル管は、それぞれ、熱伝達流体の流入のための上記第１の複数のポートのうちのそれぞれ１つから、熱交換システムへの上記熱伝達流体の流出のための上記第２の複数のポートのうちのそれぞれ１つまで延在する、複数のミニチャネルを備える、太陽熱収集システム。
（項目１５）
上記ミニチャネル管は、上記真空管内でＵ字形である、項目１４に記載の太陽熱収集システム。
（項目１６）
上記Ｕ字形ミニチャネル管は、湾曲した大きい方の寸法を有する、項目１５に記載の太陽熱収集システム。
（項目１７）
上記ミニチャネル管は、約３ミリメートルから約２００マイクロメートルの範囲の水力直径を有する、項目１４に記載の太陽熱収集システム。
（項目１８）
上記ミニチャネル管は、約２００マイクロメートルから約１０ミリメートルの範囲の水力直径を有する、項目１４に記載の太陽熱収集システム。
（項目１９）
熱交換システムと、
太陽熱収集器であって、
真空管と、
上記真空管内に載置されるミニチャネル管であって、熱伝達流体の流入のための第１の複数のポートと、上記熱交換システムへの上記熱伝達流体の流出のための第２の複数のポートとを備える、ミニチャネル管と
を備え、上記ミニチャネル管は、それぞれ、熱伝達流体の流入のための上記第１の複数のポートのうちのそれぞれ１つから、上記熱伝達流体の流出のための第２の複数のポートのうちのそれぞれ１つまで延在する、複数のミニチャネルを備える、太陽熱収集器と
上記ミニチャネル管を通る上記熱伝達流体の流動を制御するように構成される、流体流動システムと
を備える、太陽エネルギーシステム。
（項目２０）
上記太陽熱収集器上に太陽エネルギーを方向付けるように構成される、太陽エネルギー集光器をさらに備える、項目１９に記載の太陽エネルギーシステム。
（項目２１）
上記ミニチャネル管は、上記真空管内でＵ字形である、項目１９に記載の太陽エネルギーシステム。
（項目２２）
上記Ｕ字形ミニチャネル管は、湾曲した大きい方の寸法を有する、項目２１に記載の太陽エネルギーシステム。
（項目２３）
上記ミニチャネル管は、約１０ミリメートルから約２００マイクロメートルの範囲の水力直径を有する、項目１９に記載の太陽エネルギーシステム。
（項目２４）
上記ミニチャネル管は、約２００マイクロメートルから約１０ミリメートルの範囲の水力直径を有する、項目１９に記載の太陽エネルギーシステム。
（項目２５）
少なくとも部分的に太陽放射を透過する、真空エンクロージャと、
熱伝達流体の流入のための入力ポートと、
上記熱伝達流体の流出のための出力ポートと、
混合チャンバと、
上記エンクロージャ内の吸収体であって、
それぞれ、上記入力ポートと流体連通している各流入端と、上記混合チャンバと流体連通している各流出端との間に延在する、複数の流入ミニチャネルと、
それぞれ、上記混合チャンバと流体連通している各流入端と、上記出力ポートと流体連通している各流出端との間に延在する、複数の流出ミニチャネルと
を備える、吸収体と
を備える、太陽熱収集器。
（項目２６）
上記吸収体は、遠位端と近位端との間に延在し、
上記複数の流入ミニチャネルの上記各流入端および上記複数の流出ミニチャネルの上記各流出端は、上記管の上記近位端に位置し、
上記複数の流入ミニチャネルの上記各流出端および上記複数の流出ミニチャネルの上記各流入端は、上記管の上記近位端に位置する、項目２５に記載の太陽熱収集器。
（項目２７）
上記吸収体の上記遠位端を受容し、上記混合チャンバを備える、端部キャップをさらに備える、項目２６に記載の太陽熱収集器。
（項目２８）
上記吸収体は、
上記複数の流入ミニチャネルを備える、第１の区分と、
上記複数の流出ミニチャネルを備える、第２の区分と
を備え、
上記第１および第２の区分は、相互に接触せず、
上記端部キャップは、上記第１の区分の遠位端を流体密封接続で受容するための第１の開口部と、上記第２の区分の遠位端を流体密封接続で受容するための第２の開口部とを備える、
項目２７に記載の太陽熱収集器。
（項目２９）
流体入力接続であって、
流体密封接続で上記第１の区分の上記近位端を受容する、開口部と、
通路であって、上記入力ポートの中への流体入力が、上記通路を通って上記複数の流入ミニチャネルの上記流入端に流入するように、上記入力ポートおよび上記複数の流入ミニチャネルの上記各流入端と流体連通している、通路と
を備える、流体入力接続を備える、項目２８に記載の太陽熱収集器。
（項目３０）
流体出力接続であって、
流体密封接続で上記第２の区分の上記近位端を受容する、開口部と、
通路であって、上記各流出端からの流体が、上記通路を通って上記出力ポートに流入するように、上記出力ポートおよび上記複数の流出ミニチャネルの上記各流出端と流体連通している、通路と
を備える、流体出力接続を備える、項目２９に記載の太陽熱収集器。
（項目３１）
上記流体入力接続および上記流体出力接続は、相互から熱的に隔離される、項目２９に記載の太陽熱収集器。
（項目３２）
上記吸収体は、上記遠位端から上記近位端の間に延在する縦軸の周囲に配置される、中空管を備え、
上記管は、上記近位端から上記遠位端の近位にある点まで延在して、上記管の第１および第２の突起を画定する、１対の縦スリットを備え、
上記複数の流入ミニチャネルは、上記第１の突起に沿って、上記第１の突起の近位端に位置する上記複数の流入ミニチャネルの上記各流入端まで延在し、
上記複数の流出ミニチャネルは、上記第２の突起に沿って、上記第２の突起の近位端に位置する上記複数の流出ミニチャネルの上記各流出端まで延在する、項目２７に記載の太陽熱収集器。
（項目３３）
上記中空管は、外面と、内面とを備え、上記端部キャップは、
上記管の上記外面と流体密封接続している外側キャップと、
上記管の上記内面と流体密封接続している内側プラグと
を備え、上記混合チャンバは、上記キャップと上記プラグとの間で画定される容積を備える、項目３２に記載の太陽熱収集器。
（項目３４）
上記管は、実質的に円筒形であり、上記外側キャップおよび内側プラグは、入れ子式形半球を備える、項目３３に記載の太陽熱収集器。
（項目３５）
上記管は、実質的に円筒形であり、上記外側キャップおよび内側プラグはそれぞれ、入れ子式円筒を備える、項目３３に記載の太陽熱収集器。
（項目３６）
流体入力接続であって、
上記第１の突起の上記近位端を流体密封接続で受容するための開口部であって、上記端は、上記複数の流入ミニチャネルの上記各流入端を備える、開口部と、
通路であって、上記入力ポートの中への流体入力が、上記通路を通って上記複数の流入ミニチャネルの上記各流入端に流入するように、上記入力ポートおよび上記複数の流入ミニチャネルの上記各流入端と流体連通している、通路と
を備える、流体入力接続を備える、項目３２に記載の太陽熱収集器。
（項目３７）
流体出力接続であって、
上記第２の突起の上記近位端を流体密封接続で受容するための開口部であって、上記端は、上記複数の流出ミニチャネルの上記各流出端を備える、開口部と、
通路であって、上記各流出端からの流体が、上記通路を通って上記出力ポートに流入するように、上記出力ポートおよび上記複数の流出ミニチャネルの上記各流出端と流体連通している、通路と
を備える、流体出力接続を備える、項目３６に記載の太陽熱収集器。
（項目３８）
上記流体入力接続は、基部面および湾曲半径面を備える、実質的に半円筒形のドラムを備え、各表面は、前および後端面の間に延在し、上記入力ポートは、上記前端面に載置され、上記第１の突起の上記近位端を受容するための上記開口部は、上記後端面上に位置し、上記入力ポートおよび上記複数の流入ミニチャネルの上記各流入端と流体連通している上記通路は、上記ドラム内に位置する、項目３７に記載の太陽熱収集器。
（項目３９）
上記流体出力接続は、それぞれ、前および後端面の間に延在する、基部面および湾曲半径面を備える、実質的に半円筒形のドラムを備え、上記入力ポートは、上記前端面に載置され、上記第１の突起の上記近位端を受容するための上記開口部は、上記後端面上に位置し、上記出力ポートおよび上記複数の流入ミニチャネルの上記各流出端と流体連通している上記通路は、上記ドラム内に位置する、項目３６に記載の太陽熱収集器。
（項目４０）
上記流体出力接続の上記基部面は、上記流体入力接続の上記基部面の近位に、かつ対面して位置する、項目３９に記載の太陽熱収集器。
（項目４１）
上記エンクロージャは、湾曲内面を有する中空管を備え、上記流体入力および出力接続の上記湾曲半径面は、上記エンクロージャの上記内面の近位にあり、かつ対面する、項目４０に記載の太陽熱収集器。
（項目４２）
上記第１および第２の突起の間に延在し、上記吸収体の上記近位端の遠位にある上記縦スリットのうちの１つの内側に位置する、１つ以上の支持材をさらに備える、項目３２に記載の太陽熱収集器。
（項目４３）
上記管の上記遠位端から延在する、１つ以上の縦スリットをさらに備え、
上記管は、上記遠位端から上記近位端の遠位にある点まで延在して、上記管の第３および第４の突起を画定する、別の１対の縦スリットを備え、
上記複数の流入ミニチャネルは、上記第３の突起に沿って、上記第３の突起の遠位端に位置する上記複数の流入ミニチャネルの上記各流出端まで延在し、
上記複数の流出ミニチャネルは、上記第４の突起に沿って、上記第４の突起の遠位端に位置する上記複数の流出ミニチャネルの上記各流入端まで延在する、項目３２に記載の太陽熱収集器。
（項目４４）
上記端部キャップは、
上記第３の突起の上記近位端を受容して、上記混合チャンバとの流体密封接続を形成する、第１の開口部と、
上記第４の突起の上記近位端を受容して、上記混合チャンバとの流体密封接続を形成する、第２の開口部と
を備える、項目４３に記載の太陽熱収集器。
（項目４５）
上記吸収体は、約０．９よりも大きい太陽放射の高吸収率と、可視から赤外領域内で約０．１未満の低放射率とを有する、表面を備える、項目２５に記載の太陽熱収集器。
（項目４６）
上記ミニチャネルのそれぞれは、約１０ミリメートルから約２００マイクロメートルの範囲の水力直径を有する、項目２５に記載の太陽熱収集器。
（項目４７）
上記ミニチャネルのそれぞれは、約１００ミリメートルから約２００マイクロメートルの範囲の水力直径を有する、項目２５に記載の太陽熱収集器。
（項目４８）
上記ミニチャネルのそれぞれは、約２００マイクロメートルから約１０ミリメートルの範囲の水力直径を有する、項目２５に記載の太陽熱収集器。
（項目４９）
上記吸収体上に太陽放射を集中させるように構成される、１つ以上の集光器をさらに備える、項目２５に記載の太陽熱収集器。
（項目５０）
上記出力ポートと流体連通し、上記熱伝達流体からエネルギーを抽出するように構成される、熱交換器をさらに備える、項目２５に記載の太陽熱収集器。
（項目５１）
動作中に、上記熱伝達流体と接触している上記吸収体の面積に対する、太陽エネルギーを受容する上記吸収体の面積の比は、約１／ｐｉ対約１／（２＊ｐｉ）の範囲である、項目２５に記載の太陽熱収集器。
（項目５２）
少なくとも部分的に太陽放射を透過する、真空エンクロージャと、
熱伝達流体の流入のための入力ポートと、
上記熱伝達流体の流出のための出力ポートと、
上記エンクロージャ内のＵ字形吸収体であって、上記吸収体は、それぞれ近位端を有する、第１および第２の細長い部分を有し、上記細長い部分は、湾曲部分によって遠位端で接続される、Ｕ字形吸収体と、
それぞれ、上記第１の細長い部材の上記近位端に位置する流入端と、上記第２の細長い部材の上記近位端に位置する流出端との間に延在する、上記Ｕ字形吸収体の中の複数のミニチャネルと
を備え、各ミニチャネルの上記流入端は、上記入力ポートと流体連通し、各ミニチャネルの上記流出端は、上記出力ポートと流体連通している、太陽熱収集器。
（項目５３）
各ミニチャネルは、
上記入力ポートから熱伝達流体を受容し、
上記第１の細長い部材に沿った上記チャネルを通し、上記第２の細長い部材に沿った上記湾曲部分を通して、上記出力ポートに熱伝達流体を方向付けるように構成される、項目５２に記載の太陽熱収集器。
（項目５４）
流体入力接続であって、
上記第１の細長い部材の上記近位端を流体密封接続で受容するための開口部と、
通路であって、上記入力ポートの中への流体入力が、上記通路を通って上記複数の流入ミニチャネルの上記流入端に流入するように、上記入力ポート、および上記第１の細長い部材の上記近位端に位置する上記複数のミニチャネルの上記流入端と流体連通している、通路と
を備える、流体入力接続を備える、項目５３に記載の太陽熱収集器。
（項目５５）
流体出力接続であって、
上記第２の細長い部材の上記近位端を流体密封接続で受容するための開口部と、
通路であって、上記各流出端からの流体が、上記通路を通って上記出力ポートに流入するように、上記出力ポート、および上記第２の細長い部材の上記近位端に位置する上記複数のミニチャネルの上記流出端と流体連通している、通路と
を備える、項目５４に記載の太陽熱収集器。
（項目５６）
上記第１および第２の細長い部材は、実質的に平坦な部材であって、上記流体入力接続および流体出力接続している上記各開口部は、スリットとして形成される、項目５５に記載の太陽熱収集器。
（項目５７）
少なくとも部分的に太陽光を透過する、真空エンクロージャと、
熱伝達流体の流入のための入力ポートと、
上記熱伝達流体の流出のための出力ポートと、
上記エンクロージャ内の吸収体であって、
相互に対面し、近位端から遠位端まで延在する、第１および第２の細長い表面と、
上記第１の表面と上記第２の表面との間に延在する、複数のフィンであって、それぞれ、上記表面の上記近位端に位置する流入端と上記表面の上記遠位端に位置する流出端との間に位置する、複数のミニチャネルを画定する、フィンと
を備える、吸収体と
を備え、各ミニチャネルの上記流入端は、上記入力ポートと流体連通し、各ミニチャネルの上記流出端は、上記出力ポートと流体連通している、太陽熱収集器。
（項目５８）
上記第１の細長い表面は、縦軸の周囲に配置される管状面であり、
上記第２の細長い表面は、上記第１の細長い表面および上記第２の細長い部材の周囲に配置される管状面であり、
上記複数のフィンは、上記第１の細長い表面から上記第２の細長い表面まで、実質的に半径方向外向きに延在する、項目５７に記載の太陽熱収集器。
（項目５９）
上記第１および第２の細長い表面は、同心円筒である、項目５８に記載の太陽熱収集器。
（項目６０）
上記複数のフィンは、上記第１および第２の細長い表面の間に機械的支持を提供する、実質的に剛体の部材である、項目５８に記載の太陽熱収集器。
（項目６１）
上記複数のフィンは、上記第１および第２の細長い表面の間に波形パターンで配設される、項目５８に記載の太陽熱収集器。
（項目６２）
上記複数のフィンは、上記第１および第２の細長い表面の間に位置する波形板として形成される、項目５８に記載の太陽熱収集器。
（項目６３）
太陽熱収集器であって、
少なくとも部分的に太陽光を透過する、真空エンクロージャと、
熱伝達流体の流入のための入力ポートと、
上記熱伝達流体の流出のための出力ポートと、
上記エンクロージャ内の吸収体であって、
混合チャンバと、
それぞれ、上記入力ポートと流体連通している流入端と、上記混合チャンバと流体連通している流出端との間に延在する、複数の流入ミニチャネルと、
それぞれ、上記混合チャンバと流体連通している流入端と、上記出力ポートと流体連通している流出端との間に延在する、複数の流出ミニチャネルと、
を備える、吸収体と、
を備える、太陽熱収集器を提供するステップと、
上記吸収体を加熱するように、上記エンクロージャを通って入射する太陽放射を受容するステップと、
熱伝達流体が上記吸収体から熱を吸収するように、上記流入ミニチャネルを通して、上記入力ポートから上記混合チャンバに上記熱伝達流体を流すステップと、
上記流入ミニチャネルから上記混合チャンバの中へ上記流体を出力するステップと、
上記混合チャンバの中で上記流体を混合するステップと、
上記流出ミニチャネルを通して、上記出力ポートに上記混合流体を流すステップと
を含む、方法。
（項目６４）
上記出力ポートから熱交換システムに上記流体を方向付けるステップをさらに含む、項目６３に記載の方法。
（項目６５）
上記吸収体上に太陽放射を集中させるステップをさらに含む、項目６４に記載の方法。
（項目６６）
太陽熱収集器であって、
少なくとも部分的に太陽光を透過する、真空エンクロージャと、
熱伝達流体の流入のための入力ポートと、
上記熱伝達流体の流出のための出力ポートと、
上記エンクロージャ内のＵ字形吸収体であって、上記吸収体は、それぞれ近位端を有する、第１および第２の細長い部分を有し、上記細長い部分は、湾曲部分によって遠位端で接続される、Ｕ字形吸収体と、
それぞれ、上記第１の細長い部材の上記近位端に位置する流入端と、上記第２の細長い部材の上記近位端に位置する流出端との間に延在する、上記Ｕ字形吸収体の中の複数のミニチャネルであって、各ミニチャネルの上記流入端は、上記入力ポートと流体連通し、各ミニチャネルの上記流出端は、上記出力ポートと流体連通している、複数のミニチャネルと
を備える、太陽熱収集器を提供するステップと、
上記吸収体を加熱するように、上記エンクロージャを通って入射する太陽放射を受容するステップと、
熱伝達流体が上記吸収体から熱を吸収するように、上記ミニチャネルを通して上記入力ポートから上記熱伝達流体を流すステップと、
上記ミニチャネルから上記出力ポートに上記熱伝達流体を流すステップと
を含む、方法。
（項目６７）
上記出力ポートから熱交換システムに上記流体を方向付けるステップをさらに含む、項目６６に記載の方法。
（項目６８）
上記吸収体上に太陽放射を集中させるステップをさらに含む、項目６６に記載の方法。
（項目６９）
太陽熱収集器であって、
真空管と、
上記真空管内に載置されるミニチャネル管であって、熱伝達流体の流入のための第１の複数のポートと、熱交換システムへの上記熱伝達流体の流出のための第２の複数のポートとを備える、ミニチャネル管と、
を備え、上記ミニチャネル管は、それぞれ、熱伝達流体の流入のための上記第１の複数のポートのうちのそれぞれ１つから、上記熱伝達流体の流出のための上記第２の複数のポートのうちのそれぞれ１つまで延在する、複数のミニチャネルを備える、太陽熱収集器を提供するステップと、
上記ミニチャネル管を加熱するように、太陽放射を受容するステップと、
熱伝達流体が上記吸収体から熱を吸収するように、上記ミニチャネル管を通して上記熱伝達流体を流すステップと、
上記ミニチャネル管から上記熱交換システムに上記熱伝達流体を流すステップと
を含む、方法。
（項目７０）
上記熱伝達流体から熱を交換するステップをさらに含む、項目６９に記載の方法。
（項目７１）
上記吸収体上に太陽放射を集中させるステップをさらに含む、項目７０に記載の方法。
（項目７２）
相互に対面し、近位端から遠位端まで延在する、第１および第２の細長い表面を提供するステップと、
上記第１の表面と上記第２の表面との間に延在する、複数のフィンを位置付けるステップと、
それぞれ、上記表面の上記近位端に位置する流入端と上記表面の上記遠位端に位置する流出端との間に位置する、複数のミニチャネルを形成するように、上記フィンを上記第１および第２の細長い表面に接合するステップと
を含む、太陽熱収集器を作製する方法。
（項目７３）
上記第１の細長い表面は、縦軸の周囲に配置される管状面であり、
上記第２の細長い表面は、上記第１の細長い表面および上記第２の細長い部材の周囲に配置される管状面であり、
上記複数のフィンは、上記第１の細長い表面から上記第２の細長い表面まで、実質的に半径方向外向きに延在する、項目７２に記載の方法。
（項目７４）
上記第１および第２の細長い表面は、同心円筒である、項目７２に記載の方法。
（項目７５）
上記複数のフィンは、上記第１および第２の細長い表面の間に波形パターンで配設される、項目７２に記載の方法。
（項目７６）
上記複数のフィンは、上記第１および第２の細長い表面の間に位置する波形板として形成される、項目７２に記載の方法。
（項目７７）
上記フィンを上記第１および第２の細長い表面に接合するステップは、ろう付けを含む、項目７２に記載の方法。
（項目７８）
上記フィンを上記第１および第２の細長い表面に接合するステップは、溶接、接着、はんだ付け、圧着、機械的締結、リベット締め、および化学的締結から成るリストより選択される、少なくとも１つを含む、項目７２に記載の方法。